(57)【要約】【課題】  皺取り効果が高く、室内の結露も防止できる小型の衣類の仕上げ装置を提供する。【解決手段】  衣類５を上下動させながら当該衣類５の上下方向から加熱蒸気を噴き出して仕上げ室Ｒ内に充満させ、衣類５の上下動に合わせて所定のタイミングで該衣類５の両側から加熱された金属プレート板２０により押動する。【選択図】  図２
2007260065.tif 000002
【特許請求の範囲】
【請求項１】
密閉された仕上げ室内に吊り下げられた衣類を上下動させる衣類上下動部と、
前記衣類を上下動させながら当該衣類の上下方向から加熱蒸気を噴出して仕上げ室内に充満させる蒸気噴出し部と、
前記衣類を挟んで両側に配置され、当該衣類の上下動にタイミングを合わせて衣類の両側から所定温度に加熱された金属プレートを押動するプレス部を具備したことを特徴とする衣類の仕上げ装置。
【請求項２】
前記金属プレートの衣類へのプレス面と反対面側にヒートパイプが一体に接合されていることを特徴とする請求項１記載の衣類の仕上げ装置。
【請求項３】
前記蒸気噴出し部は電磁弁を所定時間開弁して噴出する加熱蒸気に常温の水分を混合して拡散される水蒸気を室内に噴き出すことを特徴とする請求項１記載の衣類の仕上げ装置。
【請求項４】
前記プレス部は衣類上下動部により衣類を上動させる際に該衣類の両側から加熱された金属プレートを押し当て、衣類を下動させる際に前記金属プレートを衣類の両側に退避させるプレス動作を所定時間繰り返すことを特徴とする請求項１記載の衣類の仕上げ装置。
【請求項５】
前記衣類の上下動とプレス動作を行ないながら、仕上げ室内の熱気を所定時間循環させて衣類の仕上げを行うことを特徴とする請求項１記載の衣類の仕上げ装置。
【請求項６】
前記仕上げ室の底部近傍に外気導入口が設けられており、熱気循環路を形成するダンパ位置を切り換えて外気導入口を開放して外気を導入しながら熱気を室外に排出することを特徴とする請求項１記載の衣類の仕上げ装置。
【発明の詳細な説明】
【技術分野】
【０００１】
本発明は、密閉された仕上げ室内に衣類を吊り下げて加熱蒸気を充満させることにより皺を伸ばして仕上げを行う衣類の仕上げ装置に関する。
【背景技術】
【０００２】
従来、背広、ズボン、ブラウス、ジャンパー、スカート、ワンピースなどの衣類をクリーニング後、手作業によりアイロンをかけて仕上げていたが、アイロンがけには熟練を要し、プレスにより毛先がつぶれて凹凸が生じたりする上に、手作業による作業効率が悪いことから、自動機により仕上げを行う衣類の仕上げ装置が用いられている。
【０００３】
この仕上げ装置は、例えば密閉可能な仕上げ室内に衣類をハンガーに掛けた状態で密閉し、室内底部に設けた蒸気ヒータより、加熱蒸気を噴出させて仕上げ室内に加熱蒸気を充満させることにより、自然な状態で皺を伸ばして仕上げを行い、該仕上げ室内から熱気を脱気してから仕上がった衣類を取り出すようになっている。
具体的には、スチームボックス内に衣類を吊下げてその両側に設けたスチーム噴射装置を昇降させながらスチームを噴射するスチーム装置（特許文献１）や、加熱蒸気を充満させた室内でハンガーを往復動させて、該ハンガーに吊り下げられた衣類に振動与えて皺取りをするようにしたスチーム装置（特許文献２）などが提案されている。或いはハンガーに吊り下げた衣類を蒸気室にて蒸気に晒し、ハンガーを移動させて仕上げ室にて熱風を吹き付けて乾燥仕上げする装置も提案されている（特許文献３）。
【特許文献１】実開平２−７１４９８号公報
【特許文献２】実開平３−１９９９号公報
【特許文献３】特開２００２−４５５９８号公報
【発明の開示】
【発明が解決しようとする課題】
【０００４】
しかしながら、従来の装置では、衣類の大まかな皺はのばせるが、襟などの折り目や袖などはプレス効果が不十分であるため、衣類を取り出してから逐一手作業により細部をアイロンで手直しをする必要があり作業効率が悪い。また、スチーム噴射後、外気を導入しながら熱気を排出すると室内に結露が生じ易い。更に、衣類の仕上げに要する時間がかかるため、大量の衣類を仕上げるには作業効率が悪い。
また、衣類を振動させるだけでは皺取り効果が不十分であるうえに、加熱蒸気が偏って衣類に噴き付けられ易いという課題があった。
更には、蒸気室と乾燥室を分けて行なうとすれば、衣類の出入りにともなって室内を所定温度に維持することが難しいため、仕上げが不十分になり易い。また、仕上げ装置が大型化して設置面積が必要になり、限られた店舗の敷地内で効率よく仕上げ作業することが難しくなる。
【０００５】
本願発明の目的は、上述した従来の課題を解決し、皺取り効果が高く、室内の結露も防止できる小型の衣類の仕上げ装置を提供することにある。
【課題を解決するための手段】
【０００６】
上記課題を解決するため、本発明に係る衣類の仕上げ装置は以下の構成を備える。
即ち、密閉された仕上げ室内に吊り下げられた衣類を上下動させる衣類上下動部と、前記衣類を上下動させながら当該衣類の上下方向から加熱蒸気を噴出して仕上げ室内に充満させる蒸気噴出し部と、前記衣類を挟んで両側に配置され、当該衣類の上下動にタイミングを合わせて衣類の両側から所定温度に加熱された金属プレートを押動するプレス部を具備したことを特徴とする。
また、前記金属プレートの衣類へのプレス面と反対面側にヒートパイプが一体に接合されていることを特徴とする。
また、前記蒸気噴出し部は電磁弁を所定時間開弁して噴出する加熱蒸気に常温の水分を混合して拡散される水蒸気を室内に噴き出すことを特徴とする。
また、プレス部は衣類上下動部により衣類を上動させる際に該衣類の両側から加熱された金属プレートを押し当て、衣類を下動させる際に前記金属プレートを衣類の両側に退避させるプレス動作を所定時間繰り返すことを特徴とする。
また、前記衣類の上下動とプレス動作を行ないながら、仕上げ室内の熱気を所定時間循環させて衣類の仕上げを行うことを特徴とする。
また、前記仕上げ室の底部近傍に外気導入口が設けられており、熱気循環路を形成するダンパー位置を切り換えて外気導入口を開放して外気を導入しながら熱気を室外に排出することを特徴とする。
【発明の効果】
【０００７】
上述した衣類の仕上げ装置を用いれば、衣類を上下動させながら当該衣類の上下方向から加熱蒸気を噴き出して仕上げ室内に充満させることにより、衣類に満遍なく加熱蒸気を噴きつけることができる。また、衣類の上下動に合わせて所定のタイミングで該衣類の両側から加熱された金属プレート板により押動するので、衣類の両側からはさみ込むようにプレスするプレス面積が大きいので皺取り効果が高く、高品位な仕上がりを実現することができる。
また、金属プレートの衣類へのプレス面と反対面側にヒートパイプが一体に接合されているので熱伝導性が高く、衣類を押圧するプレート面の温度を上げることができるので、皺取り効果を向上させることができる。
また、蒸気噴出し部は電磁弁を所定時間開弁して噴出する加熱蒸気に常温の水分を混合して拡散される水蒸気を室内に噴き出すので、加熱蒸気が気化する前に衣類全体に噴き付けることができるので、金属プレートのプレス動作と相俟って十分な皺伸ばし効果が得られる。
また、プレス部は衣類上下動部により衣類を上動させる際に該衣類の両側から加熱された金属プレートを押し当て、衣類を下動させる際に前記金属プレートを衣類の両側に退避させるプレス動作を所定時間繰り返すので、衣類がしわにならず短時間で効率よく衣類を仕上げることができる。
また、衣類の上下動とプレス動作を行ないながら、仕上げ室内の熱気を所定時間循環させて衣類の仕上げを行うので、衣類へ残留する湿気や室内の結露を防いで高品位な仕上げを行なうことができる。
また、前記仕上げ室の底部近傍に外気導入口が設けられており、熱気循環路を形成するダンパー位置を切り換えて外気導入口を開放して外気を導入しながら熱気を室外に排出するので、仕上げ室のドアを開けなくても熱気を排出して室内を常温に戻して衣類を取り出すことができる。
【発明を実施するための最良の形態】
【０００８】
本発明に係る衣類の仕上げ装置の最良の実施形態について図面を参照して説明する。
先ず、衣類の仕上げ装置の全体構成について図１〜図６を参照して説明する。図１において、縦長状の装置本体１はドア２を開閉して仕上げ室Ｒに衣類を出し入れするようになっている。装置本体１の前面には、スタートスイッチ１ａ、モード切替スイッチ１ｂ、ドア２の開閉スイッチ１ｃなどのスイッチ群を備えた操作部３が設けられている。また、装置本体１の前面下部には、外気導入口４が開閉可能に設けられている。
【０００９】
図２において、仕上げ室Ｒはドア２を閉めることにより密閉可能になっている。この仕上げ室Ｒ内にはハンガーに掛けられた衣類５を吊り下げるフック部６や加熱蒸気を上下方向から噴出す蒸気噴出し部７が設けられている。
【００１０】
図４において、ドア２にはリンク８の一端が連結しており該リンク８の他端はスライド冶具９に連結されている。スライド冶具９には吊下げロッド１０が保持されている。吊下げロッド１０の下端に設けたフック部６に衣類５をかけたハンガーを吊り下げるようになっている。また、図３において、仕上げ室Ｒ内の上部には、ドア２側より室内中心部側にわたって設けられたスライドガイド１１が設けられている。スライド冶具９はドア２の開閉動作に応じてスライドガイド１１に沿って装置本体１の開口近傍から仕上げ室Ｒの中心部付近まで移動するようになっている。
【００１１】
図３において、蒸気ヒータ１２は仕上げ室Ｒの底部及び上部に設けられた循環ダクト１３内に設けられている。この蒸気ヒータ１２は、図示しない金属パイプに加熱蒸気が送り込まれて、該金属パイプが挿通するフィン間に形成された噴出穴より加熱蒸気を仕上げ室Ｒ内に上下方向に噴出させる。蒸気ヒータ１２より噴出する加熱蒸気は、図示しないボイラー装置より供給されており、後述する電磁弁（図６参照）を所定時間開放することで水を混合して噴出するようになっている。仕上げ室Ｒの底部には、フィルター網１４が設けられており、循環ダクト１３との通気性が確保されている。また、循環ダクト１３のブロワー１５の手前側にもフィルター網１４が設けられており、ブロワー１５への塵などの侵入を防止している。
【００１２】
また、図３において、仕上げ室Ｒの上部には上下動部１６が設けられている。上下動部１６には、上下動シリンダ（エアシリンダ）１７が設けられている。この上下動シリンダ１７のシリンダロッド１８は仕上げ室Ｒの下方に向かって進退可能に設けられている。また、シリンダロッド１８の先端（下端）には連結冶具１８ａが設けられている。スライド冶具９に保持された吊下げロッド１０に衣類５を吊下げたままドア２を閉じて該スライド冶具９を仕上げ室Ｒの中心部へ移動させた際に（図４参照）、吊下げロッド１０の上端に設けられた連結冶具１０ａと、上下動シリンダ１７のシリンダロッド１８の下端に設けられた連結冶具１８ａどうしが連結する。この状態で上下動シリンダ１７を作動させることにより、吊下げロッド１０に吊下げられた衣類５を上下動するようになっている。
【００１３】
尚、衣類５を上下動させる機構は、揺動アームの一端にワイヤ、リンクなどを介して吊下げた衣類５を揺動アームの他端に連結したシリンダにより揺動させて上下動するようにしても良い。またシリンダの代わりに、例えばモータによりワイヤを巻き上げ／巻き戻してワイヤに吊下げた衣類５を上下動させたり、モータに連繋して回転するクランク機構を用いて衣類５を上下動させたりしても良い。
【００１４】
図２において、プレス部１９は、衣類５を挟んで両側に配置され、衣類５の上下動に合わせて所定のタイミングで該衣類５の両側から押動する。具体的には、プレス部１９は、上下動部１６により衣類５を上動させる際に金属プレート２０を衣類５の両側から押当てる。また、衣類５を下動させる際に、金属プレート２０を衣類５の両側に退避させる。このように、衣類５が上下動するタイミングに合わせて該衣類５に対して金属プレート２０が押当及び退避を繰り返す。金属プレート２０は両肩から両袖に掛けて衣類の厚みが膨らむため両端側をプレス面より反らせた形状をしている。金属プレート２０としては、熱伝導性が高く耐食性がある金属板（ステンレススチール板、アルミ板、銅板等）が好適に用いられる。
【００１５】
図４において、金属プレート２０の衣類５へのプレス面と反対面側にヒートパイプ２１が一体に接合されている。ヒートパイプ２１は、図５のようにジグザグ状（つづらおり状）に折り返して形成された銅パイプやステンレスパイプなどの金属パイプが用いられる。これにより金属プレート２０の全面を効率よく加熱するようになっている、このヒートパイプ２１には接続パイプ（フレキシブルなスチール製接続パイプ）を介して図示しないボイラー装置より加熱蒸気が供給される。
【００１６】
図４においてヒートパイプ２１の金属プレート２０への接合側と反対側は支柱２２に接合されている。支柱２２の背後には押動シリンダ２３（エアシリンダ）が設けられている。この押動シリンダ２３のシリンダロッド２４は支柱２２に連結されている。押動シリンダ２３を作動させると金属プレート２０が衣類５の両側から押当てられるようになっている。押動シリンダ２３の押圧力は、衣類５に対して金属プレート２０が両側より押し当てられると、衣類５の厚みによる反力との均衡が保たれた位置で止まってプレスするようにエアー圧が予め調整されている。これによって、金属プレート２０を衣類５へ無理無く押し当ててプレスするので衣類５の毛先がつぶれて凹凸や光沢が生ずることは無くソフトな仕上げを行うことができる。
尚、衣類５の両側から押し当てられる金属プレート２０どうしの間隔は、衣類５（厚いもの若しくは薄いもの）によって、押当用シリンダ２３のシリンダロッド２４の突き出し量を調整することで最適な押当て状態を維持することができる。
【００１７】
図３において、循環ダクト１３は装置本体１の上部から背面側に上下方向設けられている。循環ダクト１３の一部にはブロワー１５が設けられており、仕上げ室Ｒ内の熱気を循環させたり、熱気を仕上げ室Ｒ外へ脱気したりする。熱気を室外へ脱気するには、仕上げ室Ｒの上部に設けられた開閉用シリンダ２５を作動させてドア２を開放することにより行われる（図４の破線位置）。開閉用シリンダ２５のシリンダロッド２５ａは、ドア２の上端に設けられたリンク２ａに連結しており、該開閉用シリンダ２５を作動させると、ドア２が開放するようになっている。仕上げを行う衣類５を吊下げロッド１０に吊り下げる際や仕上げが完了した衣類５を取り出す際に、開閉スイッチ１ｃ（図１参照）を押すと開閉用シリンダ２５が作動してドア２が開放し、再度スイッチ１ｃを押すとドア２を閉じて仕上げ室Ｒを密閉するようになっている。
【００１８】
また、循環ダクト１３の途中には、図３の実線矢印Ｐに示す熱気の循環動作と、図３の一点鎖線矢印Ｑに示す熱気の仕上げ室Ｒ外への脱気動作とを切り換えるダンパーＤ１，Ｄ２、Ｄ３が開閉可能に設けられている。ダンパーＤ１、Ｄ２は循環ダクト１３の途中に設けられ、ダンパーＤ３は外気導入口４に設けられている。上記ダンパーＤ１，Ｄ２、Ｄ３は、後述する切換えシリンダ（エアシリンダ）Ｋ１，Ｋ２、Ｋ３（図６参照）により開閉されるようになっている。尚、ダンパーＤ１，Ｄ２、Ｄ３の切換えは、エアシリンダに限らず、例えばソレノイドなどの他の手段を採用しても良い。また、循環ダクト１３の上部側であってドア２の近傍には、循環する熱気を仕上げ室Ｒの上部から下部に向かって導くための整流板２６が設けられている。
【００１９】
次に衣類の仕上げ装置の制御系の構成について、図６を参照して説明する。制御部２７は装置本体１に設けられた操作部３（図１参照））からの入力信号に基づいて演算処理を行ったり、装置全体の動作を制御したりする。
具体的には、制御部２７には、操作部３に設けられたスタートスイッチ１ａより運転開始信号が入力される。また、モード切替スイッチ１ｂにより選択した仕上げモード（ハード仕上げかソフト仕上げか）のモード切替信号が入力される。更には、開閉スイッチ１ｃよりドア２の開閉用の信号が入力される。
【００２０】
また、制御部２７には、上下動シリンダ１７及び押動シリンダ２３の動作を時限制御するタイマーＴ１、加熱蒸気を噴出させる電磁弁２８の開閉を時限制御するタイマーＴ２、ブロワー１５の動作を時限制御するタイマーＴ３、各種シリンダ（開閉用シリンダ２５、上下動シリンダ１７及び押動シリンダ２３など）のシリンダロッドの動作位置を検出する位置検出センサ（図示せず）などから各々出力信号が入力される。尚、衣類５を仕上げ室Ｒの中心部へ搬入して上下動を確実に行うため、また衣類５の上下動とプレス部１９の押動動作と退避動作の同期を取って行うため、開閉用シリンダ２５、上下動シリンダ１７、押動シリンダ２３にはシリンダロッドの動作位置を検出する位置検出センサ（図示せず）が各々設けられている。制御部２７はこれら位置検出センサからの検出信号に基づいて各部の動作を切換え制御するようになっている。また、上下動シリンダ１７及び押動用シリンダ２３の動作スピードは同時に調整できるようになっている。
【００２１】
また、制御部２７からは、衣類５を上下動させる上下動シリンダ１７や押動シリンダ２３を所定時間作動させたり、電磁弁２８を開放して蒸気ヒータ１２より加熱蒸気を所定時間噴出させたり、切換えシリンダＫ１、Ｋ２、Ｋ３によりダンパーＤ１、Ｄ２、Ｄ３を切換え制御したりする。
【００２２】
次に衣類の仕上げ装置の１サイクル分の仕上げ動作について、図７に示すタイミングチャートに基づいて図８（ａ）〜（ｄ）に示す模式図を適宜参照しながら説明する。
装置本体１のドア２を開放した状態では、図３の破線に示すようにスライド冶具９がスライドガイド１１のドア２側にあり、この状態で吊下げロッド１０の下端にハンガーに掛けられた衣類５を吊り下げる。開閉スイッチ１ｃを押すと、開閉用シリンダ２５が作動してドア２を閉じ、スライド冶具９がスライドガイド１１に沿って仕上げ室Ｒの中心側の所定位置（上下動位置）へ移動し、吊下げロッド１０の連結冶具１０ａとシリンダロッド１８の連結冶具１８ａが連結する。衣類５が上下動位置へ搬入された（連結冶具１０ａ、１８ａが連結された）ことは、開閉用シリンダ２５に設けた図示しない位置検出センサによりドア２が完全に閉じたことから検出される。
【００２３】
スタートスイッチ１ａを押すと仕上げ動作が開始される。即ち、上下動シリンダ１７を作動させて衣類５の上下動を開始し、電磁弁２８を開いて蒸気ヒータ１２から仕上げ室Ｒ内に加熱蒸気を所定時間（例えば３秒間）だけ衣類５の上下方向から噴き付け、仕上げ室Ｒ内に加熱蒸気を充満させる。蒸気ヒータ１２の動作時間はタイマーＴ２により管理されている（図８（ａ）参照）。
【００２４】
また、上下動シリンダ１７の作動と同期を取って押動シリンダ２３を作動させる。即ち、衣類５の上下動のタイミングにあわせて金属プレート２０を衣類５の両側から押し当て／退避させる。具体的には、金属プレート２０が衣類５の両側で押し当てられたまま（図８（ｂ）矢印Ｗ参照）当該衣類５を上動させる（図８（ｃ）矢印Ｘ参照）。このときの金属プレート２０の温度はおおよそ１００℃〜１１０℃に保たれている。また、金属プレート２０の退避動作（図８（ｄ）矢印Ｙ参照）と同期をとって、衣類５を元の位置まで下動させる（図８（ｄ）矢印Ｚ参照）。このときの上下動シリンダ１７及び押動シリンダ２３の動作時間はタイマーＴ１により時間管理されている。
【００２５】
上記図８（ａ）〜（ｄ）に示す衣類５の上下動とプレス部１９の押動／退避動作が所定時間（本実施例では１８Ｓ）繰り返して行われる。このとき、仕上げ室Ｒの室内温度は、およそ９０℃〜１００℃程度に保たれている。このように衣類５を上下動しながら上下から加熱蒸気を噴き付け、金属プレート２０により衣類５を両側から挟むように押し当てながら上動させる動作を重畳して行なうことにより、吊り下げによる自然の皺を伸ばしに加えてアイロンがけと同等の十分なプレス効果が得られる。
【００２６】
また、上下の蒸気ヒータ１２から仕上げ室Ｒ内に加熱蒸気を噴出し終わると、ブロワー１５が作動して、仕上げ室Ｒ内で熱気循環させる。このとき、ダンパーＤ１、Ｄ２、Ｄ３は図３のＡ位置にあるため、仕上げ室Ｒ内の熱気は図３の実線矢印Ｐ方向に循環ダクト２３を通って所定時間（本実施例では１５Ｓ）循環する。このとき、金属プレート２０は衣類５の上動に合わせて両側から押当てながら乾燥するので、プレス効果を維持するとともに、細かい皺まで伸ばして凹凸や光沢のないソフトな仕上がりが得られる。熱気循環が終了すると、タイマーＴ１により上下動シリンダ１７及び押動シリンダ２３の動作時間満了となるため、金属プレート２０が衣類５の両側へ退避し、衣類５が下動した状態で停止する（図８（ｄ）参照）。
【００２７】
次に、切換えシリンダＫ１、Ｋ２、Ｋ３を作動させてダンパーＤ１、Ｄ２、Ｄ３をＡ位置からＢ位置へ切換えて脱気が行なわれる。このとき、ブロワー１５が作動したまま外気導入口４（図１参照）が開放されて、図３の一点鎖線矢印Ｑに示すように仕上げ室Ｒ内に外気が導入される。仕上げ室Ｒ内の熱気は所定時間（本実施例では２Ｓ）だけ室外には排出され、ブロワー１５の動作が停止する。これにより、装置本体１の仕上げ室Ｒ内を室温より若干高い程度（およそ４０°Ｃ程度）まで下げることができる。ブロワー１５の動作時間はタイマーＴ３により時間管理されている。
【００２８】
次に、開閉スイッチ１ｃ（図１参照）を押すと、開閉シリンダ２７を作動させてドア２が開く。このとき、図３において、吊下げロッド１０の連結冶具１０ａとシリンダロッド１８の連結冶具１８ａとの連結が解除されて、スライド冶具９が仕上げ室Ｒの中心側の上下動位置よりスライドガイド１１に沿って前扉２側へ移動する。
【００２９】
最後に、仕上げ室Ｒの手前側に移動したスライド冶具９の吊下げロッド１０より衣類５を取り外して１サイクルの仕上げ作業を終了する。再度仕上げ動作を行う場合には、新たな衣類５を吊下げロッド１０にかけかえて、ドア２を閉めてスタートスイッチ１ａを押すことにより同様の動作を繰り返す。
【００３０】
このように、衣類５の上下動とその両側に配置した金属プレート２０による押当／退避動作と、蒸気ヒータ１２による加熱蒸気の噴出動作やブロワー１５による熱気循環動作を各々時限制御により並行することにより、サイクルタイムを短縮化して、大量の衣類５の高速仕上げが可能となる。
また、衣類５はドア２の開閉に連繋して仕上げ室Ｒの開口側と室内中心側とを移動するので、ドア２の開放に応じて仕上がった衣類５を取り出し、新たに仕上げを行う衣類５をフック部６へつけ替える交換作業がし易なる。
【００３１】
また、仕上げ装置は、衣類５の種類によってソフト仕上げモードを有しており、モード切替スイッチ１ｂ（図１参照）を押してプレス部１９の動作を停止させる。この状態で、衣類５を上下動させた状態でタイマーＴ２の時限制御により電磁弁２８を開放して蒸気ヒータ１２より加熱蒸気を所定時間噴出させて、熱気循環させてソフト仕上げをすることも可能である。
【００３２】
また、プレス部１９は、シリンダ駆動により金属プレート２０を衣類５に押当て／退避する動作を繰り返すようになっているが、プレス部１９全体が例えばシリンダ駆動や電動モータ駆動などにより上下動する上下動機構が設けられていても良い。
【００３３】
以上、本発明の好適な実施例について述べてきたが、本発明は前述した実施の態様に限定されるものではなく、例えば、衣類５の上下動はシリンダ駆動に限らずモータ駆動でも良く、衣類５の仕上げに要する１サイクルの動作時間（衣類の上下動時間、加熱蒸気の噴出時間、熱気の循環時間、脱気時間）、仕上げ室Ｒ内の加熱温度などは、任意に変更可能である。
また、衣類の仕上げ装置は、クリーニング用に限らず、衣類の縫製工場等における仕上げ用など、様々な用途に使用することが可能である。
【図面の簡単な説明】
【００３４】
【図１】衣類の仕上げ装置の正面図である。
【図２】仕上げ装置のドアを開けた状態の正面図である。
【図３】仕上げ室内の熱気循環の説明図である。
【図４】仕上げ装置の内部構造を示す上視図である。
【図５】ヒートパイプの配管説明図である。
【図６】制御系のブロック図である。
【図７】１サイクル分の仕上げ動作のタイミングチャートである。
【図８】プレス部のプレス動作と衣類の上下動動作のタイミングを示す動作説明図である。
【符号の説明】
【００３５】
１  装置本体
２  ドア
３  操作部
４  外気導入口
５  衣類
６  フック部
７  蒸気噴出し部
８  リンク
９  スライド冶具
１０  吊下げロッド
１１  スライドガイド
１２  蒸気ヒータ
１３  循環ダクト
１４  フィルター網
１５  ブロワー
１６  上下動部
１７  上下動シリンダ
１８、２４  シリンダロッド
１０ａ、１８ａ  連結冶具
１９  プレス部
２０  金属プレート
２１  ヒートパイプ
２２  支柱
２３  押動シリンダ
２５  開閉用シリンダ
２６  整流板
２７  制御部
２８  電磁弁
【図１】
2007260065.tif 000003
【図２】
2007260065.tif 000004
【図３】
2007260065.tif 000005
【図４】
2007260065.tif 000006
【図５】
2007260065.tif 000007
【図６】
2007260065.tif 000008
【図７】
2007260065.tif 000009
【図８】
2007260065.tif 000010